(57)【特許請求の範囲】
【請求項１】
複数の燃料電池セルが積層された燃料電池スタックと、
前記複数の燃料電池セル間における、反応ガスの流量ばらつきを取得する流量ばらつき取得手段と、
前記燃料電池スタックの反応ガスの少なくともいずれかのオフガスの相対湿度が１００％を上回る状態から１００％を下回る場合において、前記流量ばらつき取得手段が取得する流量ばらつきが所定値を上回る場合に、前記燃料電池スタックの燃料ガス出口から燃料ガス入口に循環する循環燃料ガス中に含まれる水分量を増加させる循環水量制御手段と、を備えることを特徴とする燃料電池システム。
【請求項２】
前記流量ばらつき取得手段は、前記燃料電池スタックの運転温度が上昇して所定値を上回る場合に、前記反応ガスの流量ばらつきが所定値を上回ると判断することを特徴とする請求項１記載の燃料電池システム。
【請求項３】
前記流量ばらつき取得手段は、前記燃料電池スタックの圧力損失の時間に対する減少率が所定値を上回る場合に、前記反応ガスの流量ばらつきが所定値を上回ると判断することを特徴とする請求項１記載の燃料電池システム。
【請求項４】
前記循環水量制御手段は、燃料オフガスの燃料ガス入口への燃料ガス循環量を増加させることによって、循環水分量を増加させることを特徴とする請求項１〜３のいずれかに記載の燃料電池システム。
【請求項５】
前記循環水量制御手段は、前記燃料電池スタック内の燃料ガス圧力を低下させることによって、燃料ガスにより前記燃料電池スタックより持ち去る水分量を増加させることを特徴とする請求項１〜３のいずれかに記載の燃料電池システム。
【請求項６】
前記循環水量制御手段は、前記燃料電池スタック内の酸化剤ガス圧力を上昇させることによって、燃料ガス中に含まれ排出される水分量を増加させることを特徴とする請求項１〜３のいずれかに記載の燃料電池システム。
【請求項７】
前記燃料電池セルにおける反応ガスは、酸化剤ガスおよび燃料ガスが互いに対向して流動するカウンターフローを形成することを特徴とする請求項１〜６のいずれかに記載の燃料電池システム。
【請求項８】
前記燃料電池セルは、固体高分子型燃料電池であることを特徴とする請求項１〜７のいずれかに記載の燃料電池システム。
【請求項９】
複数の燃料電池セルが積層された燃料電池スタックにおいて、前記複数の燃料電池セル間における反応ガスの流量ばらつきを取得する流量ばらつき取得ステップと、
前記燃料電池スタックの反応ガスのオフガスの少なくともいずれかのオフガスの相対湿度が１００％を上回る状態から１００％を下回る場合において、前記流量ばらつき取得ステップにおいて取得される流量ばらつきが所定値を上回る場合に、前記燃料電池スタックの燃料ガス出口から燃料ガス入口に循環する循環燃料ガス中に含まれる水分量を増加させる循環水量制御ステップと、を含むことを特徴とする燃料電池の制御方法。
【請求項１０】
前記流量ばらつき取得ステップにおいて、前記燃料電池スタックの運転温度が上昇して所定値を上回る場合に、前記反応ガスの流量ばらつきが所定値を上回ると判断することを特徴とする請求項９記載の燃料電池の制御方法。
【請求項１１】
前記流量ばらつき取得ステップにおいて、前記燃料電池スタックの圧力損失の時間に対する減少率が所定値を上回る場合に、前記反応ガスの流量ばらつきが所定値を上回ると判断することを特徴とする請求項９記載の燃料電池の制御方法。
【請求項１２】
前記循環水量制御ステップにおいて、燃料オフガスの燃料ガス入口への燃料ガス循環量を増加させることによって、循環水分量を増加させることを特徴とする請求項９〜１１のいずれかに記載の燃料電池の制御方法。
【請求項１３】
前記循環水量制御ステップにおいて、前記燃料電池スタック内の燃料ガス圧力を低下させることによって、燃料ガスにより前記燃料電池スタックより持ち去る水分量を増加させることを特徴とする請求項９〜１２のいずれかに記載の燃料電池の制御方法。
【請求項１４】
前記循環水量制御ステップにおいて、前記燃料電池スタック内の酸化剤ガス圧力を上昇させることによって、燃料ガス中に含まれ排出される水分量を増加させることを特徴とする請求項９〜１２のいずれかに記載の燃料電池の制御方法。
【請求項１５】
前記燃料電池セルにおける反応ガスは、酸化剤ガスおよび燃料ガスが互いに対向して流動するカウンターフローを形成することを特徴とする請求項９〜１４のいずれかに記載の燃料電池の制御方法。
【請求項１６】
前記燃料電池セルは、固体高分子型燃料電池であることを特徴とする請求項９〜１５のいずれかに記載の燃料電池の制御方法。
【発明の詳細な説明】
【技術分野】
【０００１】
本発明は、燃料電池システムおよび燃料電池の制御方法に関する。
【背景技術】
【０００２】
燃料電池は、一般的には水素及び酸素を燃料として電気エネルギーを得る装置である。この燃料電池は、環境面において優れかつ高いエネルギー効率を実現できることから、今後のエネルギー供給システムとして広く開発が進められてきている。
【０００３】
特に、固体高分子型燃料電池は、各種の燃料電池の中でも比較的低温で作動することから、良好な起動性を有する。そのため、多方面における実用化のために盛んに研究がなされている。固体高分子型燃料電池においては、固体高分子電解質の含水量が低下すると、固体高分子電解質のイオン伝導性が低下する。そこで、特許文献１は、燃料ガスの圧力損失の低下量に基づいて電解質膜の乾燥を検知し、加湿モジュールの加湿量を増加させる技術を開示している。
【先行技術文献】
【特許文献】
【０００４】
【特許文献１】特開２００９−００９８９１号公報
【発明の概要】
【発明が解決しようとする課題】
【０００５】
しかしながら、特許文献１の技術では、加湿モジュールを設けなければならないため、装置の大型化をまねく。
【０００６】
本発明は、上記問題に鑑みてなされたものであり、装置の大型化を回避しつつ、電解質膜の乾燥を抑制することができる燃料電池システムおよび燃料電池の制御方法を提供することを目的とする。
【課題を解決するための手段】
【０００７】
本発明に係る燃料電池システムは、複数の燃料電池セルが積層された燃料電池スタックと、前記複数の燃料電池セル間における、反応ガスの流量ばらつきを取得する流量ばらつき取得手段と、前記燃料電池スタックの反応ガスの少なくともいずれかのオフガスの相対湿度が１００％を上回る状態から１００％を下回る場合において、前記流量ばらつき取得手段が取得する流量ばらつきが所定値を上回る場合に、前記燃料電池スタックの燃料ガス出口から燃料ガス入口に循環する循環燃料ガス中に含まれる水分量を増加させる循環水量制御手段と、を備えることを特徴とするものである。本発明に係る燃料電池システムにおいては、流量ばらつきが大きくなる場合に循環水量を制御することができることから、電解質膜の乾燥を抑制することができる。また、加湿モジュールが不要となるため、装置の大型化を回避することができる。
【０００８】
前記流量ばらつき取得手段は、前記燃料電池スタックの運転温度が上昇して所定値を上回る場合に、前記反応ガスの流量ばらつきが所定値を上回ると判断してもよい。前記流量ばらつき取得手段は、前記燃料電池スタックの圧力損失の時間に対する減少率が所定値を上回った場合に、前記反応ガスの流量ばらつきが所定値を上回ると判断してもよい。
【０００９】
前記循環水量制御手段は、燃料オフガスの燃料ガス入口への燃料ガス循環量を増加させることによって、循環水分量を増加させてもよい。前記循環水量制御手段は、前記燃料電池スタック内の燃料ガス圧力を低下させることによって、燃料ガスにより燃料電池スタックより持ち去る水分量を増加させてもよい。前記循環水量制御手段は、前記燃料電池スタック内の酸化剤ガス圧力を上昇させることによって、燃料ガス中に含まれ排出される水分量を増加させてもよい。
【００１０】
前記燃料電池セルにおける反応ガスは、酸化剤ガスおよび燃料ガスが互いに対向して流動するカウンターフローを形成してもよい。前記燃料電池セルは、固体高分子型燃料電池であってもよい。
【００１１】
本発明に係る燃料電池の制御方法は、複数の燃料電池セルが積層された燃料電池スタックにおいて、前記複数の燃料電池セル間における反応ガスの流量ばらつきを取得する流量ばらつき取得ステップと、前記燃料電池スタックの反応ガスのオフガスの少なくともいずれかのオフガスの相対湿度が１００％を上回る状態から１００％を下回る場合において、前記流量ばらつき取得ステップにおいて取得される流量ばらつきが所定値を上回る場合に、前記燃料電池スタックの燃料ガス出口から燃料ガス入口に循環する循環燃料ガス中に含まれる水分量を増加させる循環水量制御ステップと、を含むことを特徴とするものである。本発明に係る燃料電池の制御方法においては、流量ばらつきが大きくなる場合に循環水量を制御することができることから、電解質膜の乾燥を抑制することができる。また、加湿モジュールが不要となるため、装置の大型化を回避することができる。
【００１２】
前記流量ばらつき取得ステップにおいて、前記燃料電池スタックの運転温度が上昇して所定値を上回る場合に、前記反応ガスの流量ばらつきが所定値を上回ると判断してもよい。前記流量ばらつき取得ステップにおいて、前記燃料電池スタックの圧力損失の時間に対する減少率が所定値を上回った場合に、前記反応ガスの流量ばらつきが所定値を上回ると判断してもよい。
【００１３】
前記循環水量制御ステップにおいて、燃料オフガスの燃料ガス入口への燃料ガス循環量を増加させることによって、循環水分量を増加させてもよい。前記循環水量制御ステップにおいて、前記燃料電池スタック内の燃料ガス圧力を低下させることによって、燃料ガスにより燃料電池スタックより持ち去る水分量を増加させてもよい。前記循環水量制御ステップにおいて、前記燃料電池スタック内の酸化剤ガス圧力を上昇させることによって、燃料ガス中に含まれ排出される水分量を増加させてもよい。
【００１４】
前記燃料電池セルにおける反応ガスは、酸化剤ガスおよび燃料ガスが互いに対向して流動するカウンターフローを形成してもよい。前記燃料電池セルは、固体高分子型燃料電池であってもよい。
【発明の効果】
【００１５】
本発明によれば、装置の大型化を回避しつつ、電解質膜の乾燥を抑制することができる燃料電池システムおよび燃料電池の制御方法を提供することができる。
【図面の簡単な説明】
【００１６】
【図１】実施例１に係る燃料電池システムを説明するための図である。
【図２】各燃料電池セルの膜−電極接合体における燃料ガスおよび酸化剤ガスの流動方向について示す。
【図３】（ａ）は燃料電池セルの運転温度と圧力損失との関係を示す図であり、（ｂ）は膜−電極接合体側面図において反応ガスの流動方向を示した図である。
【図４】（ａ）は通常温度の運転時における燃料電池セルのセル電圧およびセル抵抗を示し、（ｂ）は高温運転時における燃料電池セルのセル電圧およびセル抵抗を示す。
【図５】運転温度とアノードストイキ比と循環水量との関係を示す図である。
【図６】カソードストイキ比と燃料電池セルのセル電圧との関係を示す図である。
【図７】燃料電池スタックの運転温度と、各燃料電池セルの反応ガス流路の圧損との関係を示す図である。
【図８】手法（１）について説明するための図である。
【図９】手法（１）の他の例について説明する図である。
【図１０】手法（Ａ）について説明するための図である。
【図１１】循環水の供給量を制御する場合の効果について説明するための図である。
【図１２】フローチャートの例を示す図である。
【発明を実施するための形態】
【００１７】
以下、本発明を実施するための最良の形態を説明する。
【実施例１】
【００１８】
図１は、実施例１に係る燃料電池システム１００を説明するための図である。図１（ａ）は、燃料電池システム１００の全体構成を示すブロック図である。図１（ｂ）は、後述する燃料電池セル１１の模式的断面図である。図１（ａ）に示すように、燃料電池システム１００は、燃料電池スタック１０、燃料ガス供給手段２０、三方弁３０、ポンプ３１、酸化剤ガス供給手段４０、冷媒循環手段５０、制御手段６０等を備える。また、燃料電池スタック１０には、圧損センサ１２、湿度センサ１３、抵抗センサ１４、温度センサ１５、電圧センサ１６が備わっている。
【００１９】
燃料電池スタック１０は、複数の燃料電池セル１１が積層された構造を有する。図１（ｂ）に示すように、燃料電池セル１１は、膜−電極接合体１１０がセパレータ１２０およびセパレータ１３０によって挟持された構造を有する。膜−電極接合体１１０は、電解質膜１１１のセパレータ１２０側にアノード触媒層１１２およびガス拡散層１１３が順に接合され、電解質膜１１１のセパレータ１３０側にカソード触媒層１１４およびガス拡散層１１５が順に接合された構造を有する。電解質膜１１１は、プロトン伝導性を有するパーフルオロスルフォン酸型ポリマー等の固体高分子電解質からなる。
【００２０】
アノード触媒層１１２は、触媒を担持する導電性材料、プロトン伝導性電解質等から構成される。アノード触媒層１１２における触媒は、水素のプロトン化を促進するための触媒である。例えば、アノード触媒層１１２は、白金担持カーボン、パーフルオロスルフォン酸型ポリマー等を含む。ガス拡散層１１３は、カーボンペーパ、カーボンクロス等のガス透過性を有する導電性材料からなる。
【００２１】
カソード触媒層１１４は、触媒を担持する導電性材料、プロトン伝導性電解質等から構成される。カソード触媒層１１４は、プロトンと酸素との反応を促進するための触媒である。例えば、カソード触媒層１１４は、白金担持カーボン、パーフルオロスルフォン酸型ポリマー等を含む。ガス拡散層１１５は、カーボンペーパ、カーボンクロス等のガス透過性を有する導電性材料からなる。
【００２２】
セパレータ１２０，１３０は、ステンレス等の導電性材料から構成される。セパレータ１２０の膜−電極接合体１１０側の面には、燃料ガスが流動するための燃料ガス流路１２１が形成されている。セパレータ１２０の膜−電極接合体１１０と反対側の面には、冷媒が流動するための冷媒流路１２２が形成されている。セパレータ１３０の膜−電極接合体１１０側の面には、酸化剤ガスが流動するための酸化剤ガス流路１３１が形成されている。セパレータ１３０の膜−電極接合体１１０と反対側の面には、冷媒が流動するための冷媒流路１３２が形成されている。燃料ガス流路１２１、酸化剤ガス流路１３１、冷媒流路１２２，１３２は、例えば、セパレータの表面に形成された凹部からなる。また、燃料ガス流路１２１および酸化剤ガス流路１３１のことを、反応ガス流路と総称することがある。
【００２３】
燃料ガス供給手段２０は、燃料電池スタック１０の燃料ガス入口を介して燃料ガス流路１２１に、水素を含有する燃料ガスを供給する装置である。燃料ガス供給手段２０は、例えば、水素ボンベ、改質器等からなる。また、燃料ガス供給手段２０は、流量調整弁等を備え、燃料電池スタック１０への燃料ガス供給量を調整する。
【００２４】
燃料電池スタック１０の燃料ガス出口は、配管を介して三方弁３０の入口に接続されている。三方弁３０の一方の出口は、外気に通じている。三方弁３０の他方の出口は、ポンプ３１を介して燃料電池スタック１０の燃料ガス入口に接続されている。三方弁３０の他方の出口が開通している場合には、燃料電池スタック１０において発電に供されなかった燃料ガス（以下、燃料オフガスと称する）がポンプ３１によって燃料ガス入口に導入される循環経路が形成される。したがって、ポンプ３１および三方弁３０を用いて、燃料ガス入口に導入される燃料オフガス量および燃料オフガス圧力を調整することができる。
【００２５】
酸化剤ガス供給手段４０は、燃料電池スタック１０の酸化剤ガス入口を介して酸化剤ガス流路１３１に、酸素を含有する酸化剤ガスを供給する装置である。酸化剤ガス供給手段４０は、エアポンプ等からなる。また、酸化剤ガス供給手段４０は、流量調整弁等を備え、燃料電池スタック１０への酸化剤ガス供給量（酸化剤ガス圧力）を調整する。なお、燃料電池スタック１０の酸化剤ガス出口は外気に通じている。それにより、燃料電池スタック１０において発電に供されなかった酸化剤ガス（以下、酸化剤オフガスと称する）は、外気に排出される。
【００２６】
冷媒循環手段５０は、燃料電池スタック１０の冷媒入口を介して冷媒流路１２２，１３２に冷媒を供給する装置である。冷媒循環手段５０は、冷媒循環用のポンプ等からなる。なお、冷媒循環手段５０は、燃料電池スタック１０の冷媒出口から排出された冷媒を冷媒入口に循環させる。
【００２７】
圧損センサ１２は、燃料電池スタック１０の酸化剤ガス入口の圧力と酸化剤ガス出口の圧力との差、および／または、燃料ガス入口の圧力と燃料ガス出口の圧力との差を検出するセンサであり、その検出結果を制御手段６０に与える。なお、燃料電池スタック１０の内部の反応ガス流路内は層流であるため、圧力損失（以下、圧損ともいう）は、反応ガス流量の１次関数として計測されてもよい。
【００２８】
湿度センサ１３は、燃料電池スタック１０の酸化剤オフガスおよび／または燃料オフガスの相対湿度を検出するセンサであり、その検出結果を制御手段６０に与える。以下、酸化剤オフガスおよび燃料オフガスのことを、反応オフガスと総称することがある。本実施例においては、湿度センサ１３は、一例として酸化剤オフガスの相対湿度を検出する。抵抗センサ１４は、燃料電池スタック１０の少なくとも１つの燃料電池セル１１の電気抵抗（セル抵抗）を検出するセンサであり、その検出結果を制御手段６０に与える。
【００２９】
温度センサ１５は、燃料電池スタック１０の運転温度を検出するセンサである。本実施例においては、温度センサ１５は、燃料電池スタック１０から排出される冷媒の温度を検出することによって燃料電池スタック１０の運転温度を間接的に検出し、その検出結果を制御手段６０に与える。電圧センサ１６は、燃料電池スタック１０の少なくとも１つの燃料電池セル１１の発電電圧（セル電圧）を検出するセンサであり、その検出結果を制御手段６０に与える。
【００３０】
制御手段６０は、ＣＰＵ（中央演算処理装置）、ＲＯＭ（リードオンリメモリ）、ＲＡＭ（ランダムアクセスメモリ）等から構成される。制御手段６０は、圧損センサ１２、湿度センサ１３、抵抗センサ１４、温度センサ１５、および電圧センサ１６の検出結果に応じて、燃料電池システム１００の各部の制御を行う。
【００３１】
続いて、図１（ａ）および図１（ｂ）を参照しつつ、発電時の燃料電池システム１００の動作について説明する。まず、制御手段６０は、燃料ガス流路１２１に燃料ガスが供給されるように燃料ガス供給手段２０を制御するとともに、酸化剤ガス流路１３１に酸化剤ガスが供給されるように酸化剤ガス供給手段４０を制御する。それにより、発電が開始される。
【００３２】
燃料ガスは、ガス拡散層１１３を透過してアノード触媒層１１２に到達する。燃料ガスに含まれる水素は、アノード触媒層１１２の触媒を介してプロトンと電子とに解離する。プロトンは、電解質膜１１１を伝導してカソード触媒層１１４に到達する。酸化剤ガスは、ガス拡散層１１５を透過してカソード触媒層１１４に到達する。カソード触媒層１１４においては、触媒を介してプロトンと酸素とが反応する。それにより、電力が発生するとともに、水（以下、発電生成水とも称する）が生成される。生成された水は、酸化剤ガス流路１３１および／または燃料ガス流路１２１を通って排出される。
【００３３】
また、制御手段６０は、所定のタイミングで冷媒流路１２２，１３２に冷媒が供給されるように、冷媒循環手段５０を制御する。それにより、燃料電池スタック１０の運転温度が所定温度に調整される。さらに、制御手段６０は、三方弁３０を制御することにより、燃料オフガスの外気への排出量と燃料電池スタック１０への循環量とを制御する。燃料オフガスを外気へ排出することによって、燃料電池スタック１０内に滞留する窒素ガス等を排出することができる。また、燃料オフガスを燃料電池スタック１０へ循環させることによって、燃料オフガスに含まれる発電生成水を燃料電池スタック１０内に導入することができる。
【００３４】
図２（ａ）および図２（ｂ）は、各燃料電池セル１１の膜−電極接合体１１０における燃料ガスおよび酸化剤ガスの流動方向について示す。図２（ａ）は、膜−電極接合体１１０の側面図において反応ガスの流動方向を示した図である。図２（ｂ）は、膜−電極接合体１１０の平面図において反応ガスの流動方向を示した図である。図２（ｂ）においては、膜−電極接合体１１０の燃料ガス側の面が描かれている。図２（ａ）および図２（ｂ）に示すように、燃料ガスおよび酸化剤ガスは、膜−電極接合体１１０を挟んで互いに反対方向に流動する。したがって、燃料ガスと酸化剤ガスとは、カウンターフローを形成する。
【００３５】
次に、燃料電池セル１１の運転温度と、燃料電池セル１１の燃料ガス流路１２１および酸化剤ガス流路１３１における圧力損失と、の関係について説明する。図３（ａ）は、燃料電池セル１１の運転温度と圧力損失との関係を示す図である。図３（ａ）において、横軸は運転温度を示し、縦軸は燃料ガス流路１２１における圧力損失（アノード圧力損失）および酸化剤ガス流路１３１における圧力損失（カソード圧力損失）を示す。図３（ａ）の例では、運転温度を徐々に上昇させた場合の結果が示されており、運転温度７５℃付近を境に低温側では酸化剤ガス流路１３１の出口における相対湿度（出口ＲＨ）が１００％以上であり、高温側では１００％未満となっている。
【００３６】
出口ＲＨが１００％以上となる運転温度では、アノード側およびカソード側のいずれにおいても圧力損失が高くなっている。これは、発電に伴って膜−電極接合体１１０の内部に発電生成水が滞留するからであると考えられる。一方で、運転温度が上昇して出口ＲＨが１００％未満となった場合には、アノード側およびカソード側のいずれにおいても圧力損失が低下している。これは、運転温度の上昇に伴って、燃料ガス流路１２１および酸化剤ガス流路１３１中の水が蒸発にともない減少するからであると考えられる。
【００３７】
次に、膜−電極接合体１１０における蒸発箇所（乾燥箇所）について説明する。図３（ｂ）は、膜−電極接合体１１０側面図において反応ガスの流動方向を示した図である。図３（ｂ）に示すように、各反応ガスが特に加湿されていなければ、膜−電極接合体１１０において各反応ガス流路の入口付近において発電生成水が蒸発しやすく、乾燥しやすい。特に、酸化剤ガスとしてエアを用いれば、酸化剤ガス流量が多くなるので、酸化剤ガス流路１３１の入口付近の領域が最も乾燥しやすくなる。この場合、乾燥箇所において、電解質膜１１１の電気抵抗が大きくなり、発電不良が生じる。その結果、電解質膜１１１における電極有効面積が減少する。この繰返しによって、反応ガス流路の入口付近から順に乾燥が進む。したがって、反応ガス流路の入口付近を加湿できれば、発電不良を抑制できることがわかる。
【００３８】
運転温度の高温化に伴う課題についてさらに説明する。図４（ａ）は、通常温度の運転時における燃料電池セル１１のセル電圧およびセル抵抗を示す。図４（ｂ）は、高温運転時における燃料電池セル１１のセル電圧およびセル抵抗を示す。図４（ａ）および図４（ｂ）において、横軸は酸化剤ガスのストイキ比を示し、縦軸は燃料電池セル１１のセル電圧およびセル抵抗を示す。
【００３９】
図４（ａ）および図４（ｂ）に示すように、酸化剤ガスのストイキ比が過度に小さい場合には、濃度過電圧の寄与が大きいため、セル電圧が低くなる。酸化剤ガスのストイキ比が過度に大きい場合には、乾燥に伴って電解質膜１１１の電気抵抗が高くなって抵抗過電圧の寄与が大きくなるため、セル電圧が低くなる。酸化剤ガスのストイキ比が好ましい範囲にあれば、濃度過電圧および抵抗過電圧の寄与が小さくなるため、電解質膜１１１は低電気抵抗を維持し、セル電圧が高くなる。このような酸化剤ガスのストイキ比が好ましい領域を、安定作動領域と称する。
【００４０】
ただし、運転温度が変化すると、安定作動領域の幅が変化する。図４（ａ）に示すように、通常運転時においては、酸化剤ガスのストイキ比が高くても、高セル電圧および低電気抵抗が維持される。したがって、通常運転時においては、安定作動領域が広くなっている。これに対して、図４（ｂ）に示すように、高温運転時においては、電解質膜１１１が乾燥しやすくなるため、安定作動領域が狭くなっている。
【００４１】
次に、アノード側の排出水量（燃料ガス流路１２１からの排出水量）＝アノード側の供給水量（燃料ガス流路１２１への供給水量）＝循環相当水量の運転での、運転温度とアノードストイキ比と供給水量との関係について説明する。図５（ａ）は、運転温度とアノードストイキ比と供給水量との関係を示す図である。図５（ａ）において、横軸はアノードストイキ比を示し、縦軸はアノード側の供給水量（ｍｏｌ／ｍｉｎ／４セル）を示す。
【００４２】
図５（ａ）に示すように、出口ＲＨが１００％以上である場合においては、アノードストイキ比が「１．０」である場合に、排出水量＝供給水量＝０となる。出口ＲＨが１００％側に減少するにつれて、アノードストイキ比に対する供給水量の傾きが小さくなる。これは、アノードストイキ比が大きくないと排出水量が少なくなることを意味している。
【００４３】
出口ＲＨが１００％を下回ると、アノードストイキ比が「１．０」を上回らないと発電生成水が不足する。それにより、排出水量がプラスになるためには、アノードストイキ比が「１．０」を上回る必要がある。この傾向は、運転温度が高くなるほど顕著となる。この場合において、アノードストイキ比が「１．０」を十分に上回っていないと、燃料ガス流路１２１の出口付近での発電生成水量が不足する。その結果、図５（ｂ）に示すように、燃料ガス流路１２１の出口付近（酸化剤ガス流路１３１の入口付近）において乾燥が進行する。
【００４４】
これに対して、出口ＲＨが１００％を下回っている場合においても、供給水量を増加させることによって、燃料ガス流路１２１の出口付近（酸化剤ガス流路１３１の入口付近）における乾燥を抑制することができる。具体的には、図５（ｃ）に示すように、アノードストイキ比を大きくするとともに、燃料ガス流路１２１の出口から排出された燃料オフガスを燃料ガス流路１２１の入口に導入して循環経路を形成する。この場合においては、燃料ガス流路１２１の出口付近にまで水蒸気または液水が到達するため、燃料ガス流路１２１の出口付近（酸化剤ガス流路１３１の入口付近）における乾燥が抑制される。
【００４５】
次に、カソードストイキ比について説明する。図６は、カソードストイキ比と燃料電池セル１１のセル電圧との関係を示す図である。図６において、横軸はカソードストイキ比を示し、縦軸はセル電圧を示す。図６に示すように、上記の循環水量が少ない図５（ｂ）の状態で高温運転をさせると、カソードストイキ比が増加してセル電圧が大幅に低下する。電解質膜１１１の電気抵抗が急激に増加するからである。そこで、循環水量が十分である図５（ｃ）の状態で高温運転させると、電解質膜１１１の電気抵抗増加が抑制される。この場合、セル電圧のピークが高カソードストイキ比側にシフトする。
【００４６】
続いて、燃料電池スタック１０の運転温度と、各燃料電池セル１１の反応ガス流路の圧損と、の関係について説明する。図７は、燃料電池スタック１０の運転温度と、各燃料電池セル１１の反応ガス流路の圧損との関係を示す図である。図７において、横軸は経過時間を示し、縦軸は燃料電池スタック１０の運転温度および（平均圧損−最小圧損）を示す。図７は、時間の経過とともに運転温度が上昇する例を示している。
【００４７】
ここで、平均圧損とは、燃料電池スタック１０に含まれる各燃料電池セル１１の圧損の平均値である。最小圧損とは、燃料電池スタック１０に含まれる各燃料電池セル１１の圧損の最小値である。ここでの圧損とは、酸化剤ガス流路１３１の圧損でもよく、燃料ガス流路１２１の圧損でもよく、または両者全体の圧損でもよい。
【００４８】
図７に示すように、運転温度が低い場合には、発電生成水が反応ガス流路に滞留し、いずれの燃料電池セル１１においても圧損が高くなる。それにより、（平均圧損−最小圧損）は低い値を維持する。運転温度が高くなって出口ＲＨが１００％を下回ると、いずれかの燃料電池セル１１において滞留水の蒸発が始まる。この場合、全ての燃料電池セル１１において同時に滞留水の蒸発が始まるわけではないため、滞留水の蒸発が始まる燃料電池セル１１の圧損が顕著に小さくなる。それにより、（平均圧損−最小圧損）が急激に大きくなる。その後、安定した発電が継続すると、時間とともにいずれの燃料電池セル１１においても圧損が低下するため、（平均圧損−最小圧損）も小さくなる。
【００４９】
そこで、本実施例においては、燃料電池スタック１０の発電に伴って運転温度が上昇する場合に、各燃料電池セル１１の圧損のばらつきを推測する。圧損のばらつきが所定値を上回った場合に、循環水の供給量を増加させる。それにより、各燃料電池セル１１において、燃料ガス流路１２１の出口付近（酸化剤ガス流路１３１の入口付近）における電解質膜１１１の乾燥を抑制することができる。この場合、反応ガスを加湿するための装置が不要になることから、燃料電池システム１００の大型化を回避することができる。
【００５０】
なお、燃料電池スタック１０では、各燃料電池セル１１の反応ガス流路入口に共通のマニホールドから反応ガスが供給され、反応ガス流路出口から共通のマニホールドへ反応オフガスが排出される。このような構成では、各燃料電池セル１１において圧損が異なっていても、燃料電池セル１１ごとに反応ガス流量が変化するため、各燃料電池セル１１における圧損値は同一となる。したがって、各燃料電池セル１１の「圧損のばらつき」とは、反応ガスの流量ばらつきと同義である。
【００５１】
各燃料電池セル１１における反応ガスの流量ばらつきを、流量計等を用いて検出することもできるが、コスト削減のために代替手法を用いてもよい。例えば、（１）各燃料電池セル１１の滞留水の蒸発が盛んである場合または盛んになると予想される場合、（２）反応オフガスの相対湿度が所定値（例えば１００％）以下になった場合、（３）燃料電池スタック１０全体の圧損の減少率が高くなった場合等に、各燃料電池セル１１における反応ガスの流量ばらつきが所定値を上回ったと判定することができる。なお、（１）〜（３）のいずれかの条件が成立する場合に流量ばらつきが所定値上回ったと判定してもよく、（１）〜（３）の２つ以上の条件が成立する場合に流量ばらつきが所定値上回ったと判定してもよい。
【００５２】
図８は、上記手法（１）について説明する図である。図８において、横軸は燃料電池セル１１の運転温度を示し、縦軸は燃料電池セル１１からの蒸発量を示す。図８に示すように、低い運転温度以下では、燃料電池セル１１からの蒸発量は少なくなっている。それにより、燃料電池セル１１の反応ガス流路では、発電生成水が滞留する。運転温度の上昇に伴って燃料電池セル１１からの蒸発量が多くなって所定温度以上になると、燃料電池セル１１の乾燥が始まる。この所定温度をしきい値として用いることによって、燃料電池セル１１の滞留水の蒸発が盛んである、または盛んになると予想することができる。この所定温度は、反応ガスの供給量、反応ガス圧力等に応じて決定される。なお、運転温度は、図１の温度センサ１５を用いて検出することができる。
【００５３】
図９は、上記手法（１）の他の例について説明する図である。燃料電池スタック１０において、低圧損の燃料電池セル１１（以下、センサーセルと称する）をあらかじめ調べておく。センサーセルにおいては流入する反応ガス量が多くなるため、乾燥しやすく、セル抵抗（ｍΩ・ｃｍ２）が増加しやすい。したがって、センサーセルのセル抵抗（以下、Ｒセンサーと称する）を検出することによって、各燃料電池セル１１の滞留水の蒸発が盛んである、または盛んになると予想することができる。
【００５４】
具体的には、Ｒセンサーが規定値を上回った場合に、各燃料電池セル１１の滞留水の蒸発が盛んである、または盛んになると予想することができる。この場合の規定値の一例は、１２０ｍΩ・ｃｍ２程度である。また、Ｒセンサーと燃料電池スタック１０全体の抵抗（以下、Ｒスタックと称する）との関係を用いてもよい。例えば、｛（Ｒセンサー）−（Ｒスタック）｝／（Ｒスタック）＞規定値となった場合に、各燃料電池セル１１の滞留水の蒸発が盛んである、または盛んになると予想してもよい。この場合の規定値の一例は、例えば、「１．６」である。また、（Ｒセンサー）／（Ｒスタック）＞規定値となった場合に、各燃料電池セル１１の滞留水の蒸発が盛んである、または盛んになると予想してもよい。この場合の規定値の一例は、例えば、「１．８」である。なお、ＲセンサーおよびＲスタックは、図１の抵抗センサ１４を用いて検出することができる。
【００５５】
また、上記センサーセルのセル電圧（以下、Ｖセンサー）を検出することによって、各燃料電池セル１１の滞留水の蒸発が盛んである、または盛んになると予想することができる。センサーセルにおいては圧損が低いため、センサーセルにおける反応ガス流量が多くなる。それにより、低温運転時にはセンサーセルのセル電圧は高くなる。しかしながら、高温運転時には、反応ガス流量が多いと乾燥が進行するため、センサーセルのセル電圧は低くなる。したがって、Ｖセンサーが規定値を下回った場合に、各燃料電池セル１１の滞留水の蒸発が盛んである、または盛んになると予想することができる。また、Ｖセンサーが、各燃料電池セル１１の平均セル電圧を下回った場合に、各燃料電池セル１１の滞留水の蒸発が盛んである、または盛んになると予想することができる。
【００５６】
次に、上記手法（２）について説明する。反応オフガスとして、燃料オフガスおよび酸化剤オフガスのいずれを用いてもよい。また、両オフガスの相対湿度が１００％を下回った場合に、各燃料電池セル１１における反応ガスの流量ばらつきが所定値上回ったと判定することができる。反応オフガスの相対湿度は、湿度センサ１３を用いて検出することができる。
【００５７】
次に、上記手法（３）について説明する。上述したように、燃料電池セル１１からの蒸発量が増えるにしたがって滞留水が減少するので、燃料電池スタック１０の圧損が減少する。蒸発が開始した直後あたりでこの圧損の減少率が高くなるため、燃料電池スタック１０全体の圧損の減少率が規定値以上となった場合に、各燃料電池セル１１における反応ガスの流量ばらつきが所定値上回ったと判定することができる。
【００５８】
続いて、循環水の供給量を増加させる手法について説明する。具体的には、（Ａ）燃料オフガスの循環量を増加させる、（Ｂ）燃料ガス圧力を低下させる、（Ｃ）酸化剤ガス圧力を上昇させる、等の手法により、循環水の供給量を増加させることができる。なお、（Ａ）〜（Ｃ）のいずれかの手法を用いてもよく、（Ａ）〜（Ｃ）の２つ以上の手法を同時に用いてもよい。
【００５９】
図１０は、上記手法（Ａ）について説明するための図である。図１０において、横軸は発電停止の状態で燃料電池スタック１０内の燃料ガス流路１２１に純水素ガスまたは窒素と水素との混合ガスを導入した場合において、燃料電池スタック１０の燃料ガス出口から排出されるガスの排出量を示し、縦軸はこの排出されたガスの露点（℃）を示す。
【００６０】
図１０に示すように、純水素および混合ガスのいずれを用いても、燃料電池スタック１０の燃料ガス出口から排出されるガス量によって、排出される水蒸気量が決定されることがわかった。したがって、燃料オフガスの循環量を増加させることによって、燃料電池スタック１０の燃料ガス流路１２１に対する循環水の供給量を増加させることができる。
【００６１】
次に、上記手法（Ｂ）について説明する。ここで、発電によって生じた発電生成水は、主として酸化剤ガス流路１３１を通って外部に排出されるが、電解質膜１１１を介して燃料ガス流路１２１側にも移動する。燃料電池スタック１０の燃料ガス流路１２１に供給される燃料ガス圧力が低下すると、アノード側において水が蒸発しやすくなるので、電解質膜１１１をカソード側からアノード側に移動する発電生成水量が増加する。それにより、循環水の供給量を増加させることができる。
【００６２】
次に、上記手法（Ｃ）について説明する。燃料電池スタック１０の酸化剤ガス流路１３１に供給される酸化剤ガス圧力が上昇すれば、カソード側での水の蒸発が抑制されるため、電解質膜１１１をカソード側からアノード側に移動する発電生成水量が増加する。それにより、循環水の供給量を増加させることができる。
【００６３】
図１１（ａ）および図１１（ｂ）は、循環水の供給量を制御する場合の効果について説明するための図である。図１１（ａ）および図１１（ｂ）で点線によって囲まれた領域が、上述した安定作動領域である。図１１（ａ）の例では、運転温度が７７℃を超えると、運転温度にかかわらず、燃料電池セル１１の内部の循環水が不足する。しかしながら、上記（Ａ）〜（Ｃ）の手法によりアノード側の排出水量（＝循環水量）を増加させることによって、安定作動領域での運転を行うことができる。以上のことから、運転温度にかかわらずアノード側の排出水量を制御することによって、容易に安定作動領域での運転を実現することができる。
【００６４】
なお、各燃料電池セル１１において滞留水が一様に蒸発すれば、各燃料電池セル１１間での流量ばらつきが小さくなる。この場合においては、特定の燃料電池セル１１での反応ガス流量が突出することが抑制される。したがって、各燃料電池セル１１間での流量ばらつきが小さくなれば、循環水の供給量を増加させる必要性がなくなる。例えば、燃料電池スタック１０全体の圧損の減少率が規定値以下となった場合に、各燃料電池セル１１における反応ガスの流量ばらつきが小さくなったと判定してもよい。
【００６５】
以下、図１２（ａ）〜図１２（ｃ）に、上述した制御のフローチャートの例を示す。図１２（ａ）は上記手法（１）の制御であり、図１２（ｂ）は上記手法（２）の制御であり、図１２（ｃ）は上記手法（３）の制御である。図１２（ａ）〜図１２（ｃ）は、所定の周期で実行される。
【００６６】
図１２（ａ）に示すように、制御手段６０は、燃料電池スタック１０の運転温度の上昇過程において、各燃料電池セル１１の滞留水の蒸発が盛んであるかまたは盛んになると予想されるか否かを判定する（ステップＳ１）。上述したように、抵抗センサ１４、温度センサ１５、または電圧センサ１６の検出結果に基づいて、判定することができる。ステップＳ１において「Ｙｅｓ」と判定された場合、制御手段６０は、循環水量を増加させる（ステップＳ２）。ステップＳ１において「Ｎｏ」と判定された場合、および、ステップＳ２の実行後、制御手段６０は、フローチャートの実行を終了する。なお、上述したように、燃料ガス供給手段２０、三方弁３０、および酸化剤ガス供給手段４０の少なくともいずれか１つを制御することによって、循環水量を増加させることができる。
【００６７】
図１２（ｂ）に示すように、制御手段６０は、燃料電池スタック１０の運転温度の上昇過程において、燃料電池スタック１０のオフガス相対湿度が１００％を下回るか否かを判定する（ステップＳ１１）。上述したように、湿度センサ１３の検出結果に基づいて、判定することができる。ステップＳ１１において「Ｙｅｓ」と判定された場合、制御手段６０は、循環水量を増加させる（ステップＳ１２）。ステップＳ１１において「Ｎｏ」と判定された場合、および、ステップＳ１２の実行後、制御手段６０は、フローチャートの実行を終了する。
【００６８】
図１２（ｃ）に示すように、制御手段６０は、燃料電池スタック１０の運転温度の上昇過程において、燃料電池スタック１０の圧損の減少率が規定値を上回ったか否かを判定する（ステップＳ２１）。上述したように、圧損センサ１２の検出結果に基づいて、判定することができる。ステップＳ２１において「Ｙｅｓ」と判定された場合、制御手段６０は、循環水量を増加させる（ステップＳ２２）。ステップＳ２１において「Ｎｏ」と判定された場合、および、ステップＳ２２の実行後、制御手段６０は、フローチャートの実行を終了する。
【００６９】
なお、上記実施例においては、カウンターフローの例について説明したが、それに限られない。例えば、燃料ガスと酸化剤ガスとが同一の方向に流動するとしても、滞留水の蒸発の条件が整って反応ガス流量にばらつきが生じれば、電解質膜１１１において乾燥しやすい領域が出現する。この場合においても、循環水の供給量を増加させることによって、電解質膜１１１の局所的な乾燥を抑制することができる。
【符号の説明】
【００７０】
１０  燃料電池スタック
１１  燃料電池セル
１２  圧損センサ
１３  湿度センサ
１４  抵抗センサ
１５  温度センサ
１６  電圧センサ
２０  燃料ガス供給手段
３０  三方弁
４０  酸化剤ガス供給手段
５０  冷媒循環手段
６０  制御手段
１００  燃料電池システム
１１０  膜−電極接合体
１１１  電解質膜
１２１  燃料ガス流路
１３１  酸化剤ガス流路
【図１】
0005625495.tif 000002
【図２】
0005625495.tif 000003
【図３】
0005625495.tif 000004
【図４】
0005625495.tif 000005
【図５】
0005625495.tif 000006
【図６】
0005625495.tif 000007
【図７】
0005625495.tif 000008
【図８】
0005625495.tif 000009
【図９】
0005625495.tif 000010
【図１０】
0005625495.tif 000011
【図１１】
0005625495.tif 000012
【図１２】
0005625495.tif 000013